(57)【要約】【課題】正確にレンズアレイの温度を測定でき、温度変化が生じても高画質な画像を形成でき、しかも、容易に作製することができるレンズユニット及び撮像装置を提供する。【解決手段】レンズユニットは、一体物として構成され、間隔をあけて並列に配列する複数の個眼レンズを含むレンズアレイを備えたアレイ光学系と、複数の個眼レンズに対応する位置に設けられた複数の開口部を有する遮光部材と、遮光部材の開口部以外の部位に設けられた温度センサーと、を有し、温度センサーは、レンズアレイの温度に応じた信号を出力する温度検知部、及び温度検知部からの信号を伝達する配線を有し、温度検知部は、光軸方向から見て、レンズアレイの、隣接する個眼レンズの間の部位に接触又は近接して配置され、配線は、隣接する個眼レンズの間を通ってレンズアレイの周縁へ延在している。【選択図】図２
2016004176.tif 000002
【特許請求の範囲】
【請求項１】
一体物として構成され、間隔をあけて並列に配列する複数の個眼レンズを含むレンズアレイを備えたアレイ光学系と、
前記複数の個眼レンズに対応する位置に設けられた複数の開口部を有する遮光部材と、
前記遮光部材の前記開口部以外の部位に設けられた温度センサーと、を有し、
前記温度センサーは、前記レンズアレイの温度に応じた信号を出力する温度検知部、及び前記温度検知部からの信号を伝達する配線を有し、
前記温度検知部は、光軸方向から見て、前記レンズアレイの、隣接する前記個眼レンズの間の部位に接触又は近接して配置され、前記配線は、隣接する前記個眼レンズの間を通って前記レンズアレイの周縁へ延在していることを特徴とするレンズユニット。
【請求項２】
前記アレイ光学系は、前記遮光部材を間に挟んで重ねた第１のレンズアレイと第２のレンズアレイとを有し、前記温度センサーは、前記第１のレンズアレイと前記第２のレンズアレイのうち少なくとも一方の温度を検知することを特徴とする請求項１に記載のレンズユニット。
【請求項３】
前記第１のレンズアレイと前記第２のレンズアレイの、互いに対向する２つの面のうち少なくとも一方に、前記配線を取り付けるスペースを設けたことを特徴とする請求項２に記載のレンズユニット。
【請求項４】
前記アレイ光学系を保持する鏡枠を更に有することを特徴とする請求項１〜３のいずれか一項に記載のレンズユニット。
【請求項５】
前記鏡枠に、前記配線を通過させるスペースを形成したことを特徴とする請求項４に記載のレンズユニット。
【請求項６】
前記アレイ光学系の像側の面に対向して配置された透光性を有する平行平板を更に有し、前記平行平板と前記鏡枠のうち少なくとも一方に、前記配線を通過させるスペースを設けたことを特徴とする請求項４又は５に記載のレンズユニット。
【請求項７】
前記温度センサーは、前記レンズアレイに接触していることを特徴とする請求項１に記載のレンズユニット。
【請求項８】
前記温度センサーは、前記レンズアレイから離間していることを特徴とする請求項１に記載のレンズユニット。
【請求項９】
請求項１〜８のいずれかに記載のレンズユニットと、固体撮像素子とを有することを特徴とする撮像装置。
【請求項１０】
前記固体撮像素子が実装される回路基板を更に有し、前記温度センサーの配線は、前記回路基板に接続されており、前記レンズアレイから前記回路基板に至るまでの間に弛みを有することを特徴とする請求項９に記載の撮像装置。
【発明の詳細な説明】
【技術分野】
【０００１】
本発明は、小型で薄型であり、ＣＣＤ（Ｃｈａｒｇｅ  Ｃｏｕｐｌｅｄ  Ｄｅｖｉｃｅ）型イメージセンサー或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサー等の固体撮像素子に、複数のレンズから成るアレイ光学系を用いて物体像を形成させる撮像装置、及びそれに用いると好適なレンズユニットに関する。
【背景技術】
【０００２】
近年、スマートフォンなどの携帯端末においては、デザイン性向上のため，それに搭載される撮像装置の小型化が推進され、それに伴い撮像装置に搭載される光学系の低背化の要求はますます高まっている。一方で、携帯端末に対しても撮像した画像が高画質なものとなるように光学系の高性能化も要求されている。
【０００３】
これらの要求に対し、光軸を異ならせて配置した複数の撮像光学系（個眼光学系）で構成されるレンズアレイ（アレイ光学系）を用いて、複数の物体像を固体撮像素子の撮像面上に形成し、各物体像に対応する画像信号を画像処理することで、１つの画像を再構成するいわゆる超解像技術を用いた小型で薄型な撮像装置が開発されるに至った。このような撮像装置に用いる撮像光学系では、複数の画像を再構成することで低画素な画像から高画素な画像を作り出すことが出来るため、個眼光学系各々が対応するイメージエリアの画素数を少なくすることができ、少ないレンズアレイ枚数で光学系を構成することができる。その結果として、既存の光学系よりも大幅な低背化を実現しながらも高解像な撮像装置を提供することが可能となる。
【０００４】
ところで、プラスチックによりレンズアレイを形成すると、高精度なものを大量生産できるためコスト的に有利になる。ところが、プラスチックは温度変化による膨張量或いは収縮量が比較的大きいことが知られており、温度変化に応じて各個眼光学系の光軸間距離が変化すると、撮像面上での結像位置が変位するという問題が生じる。
【０００５】
かかる問題に対し、特許文献１においては、レンズアレイを有する撮像装置に温度センサーを設けることでレンズアレイの温度を求め、これに基づきレンズの光軸間距離の変化を導き出す技術が開示されている。
【先行技術文献】
【特許文献】
【０００６】
【特許文献１】国際特許公開第２００９／１５６３号パンフレット
【発明の概要】
【発明が解決しようとする課題】
【０００７】
ここで、特許文献１の技術によれば、レンズアレイを保持する為のホルダーが取り付けられた半導体回路基板上に温度センサーを配置している。また、特許文献１には、温度センサーをレンズアレイに設けることも記載されている。しかしながら、基板上に温度センサーを設ける場合は、レンズアレイより離れた基板の温度を測定し、それからレンズアレイの温度を推定するものであるから、推定された温度が実際のレンズアレイの温度と異なる恐れがある。推定された温度と実際のレンズアレイの温度とが異なると、レンズの光軸間距離の変化を精度良く導き出すことができず、これによりレンズアレイの推定温度から決定された座標のイメージエリアに対して、実際の被写体像がずれて結像されることとなり、高精度な画像を得られないという問題がある。また、レンズアレイに温度センサーを取り付ける場合は、温度センサーを適切にレンズアレイに取り付けることが難しく、接着不良により使用中に温度センサーがレンズアレイから脱落したり、温度センサーの取り付け時に接着剤によってレンズアレイが汚れてしまい、光学性能が損なわれたりするといった問題がある。
【０００８】
本発明はこのような問題に鑑みてなされたものであり、正確にレンズアレイの温度を測定でき、温度変化が生じても高画質な画像を形成でき、しかも、容易に作製することができるレンズユニット及び撮像装置を提供することを目的とする。
【課題を解決するための手段】
【０００９】
本発明のレンズユニットは、
一体物として構成され、間隔をあけて並列に配列する複数の個眼レンズを含むレンズアレイを備えたアレイ光学系と、
前記複数の個眼レンズに対応する位置に設けられた複数の開口部を有する遮光部材と、
前記遮光部材の前記開口部以外の部位に設けられた温度センサーと、を有し、
前記温度センサーは、前記レンズアレイの温度に応じた信号を出力する温度検知部、及び前記温度検知部からの信号を伝達する配線を有し、
前記温度検知部は、光軸方向から見て、前記レンズアレイの、隣接する前記個眼レンズの間の部位に接触又は近接して配置され、前記配線は、隣接する前記個眼レンズの間を通って前記レンズアレイの周縁へ延在していることを特徴とする。
【００１０】
本発明によれば、前記温度検知部が、光軸方向から見て、前記レンズアレイの、隣接する前記個眼レンズの間の部位に接触又は近接して配置されているので、前記個眼レンズを通過する被写体光を遮ることがなく、また前記個眼レンズの光軸間距離の変化に寄与しやすい比較的中央側の前記レンズアレイの温度を適切に測定できるから、前記個眼レンズの光軸間距離の変化を精度良く求めることができる。更に、前記配線が、隣接する前記個眼レンズの間を通って前記レンズアレイの周縁へと延在しているので、前記個眼レンズを通過する被写体光を遮ることがなく、これにより高画質な画像を形成できる。
【発明の効果】
【００１１】
本発明によれば、正確にレンズアレイの温度を測定でき、温度変化が生じても高画質な画像を形成でき、しかも、容易に作製することができるレンズユニット及び撮像装置を提供することができる。
【図面の簡単な説明】
【００１２】
【図１】本実施の形態にかかる撮像装置を模式的に示す図である。
【図２】レンズユニットＬＨの拡大断面図である。
【図３】レンズユニットＬＨの分解斜視図である。
【図４】第２遮光部材ＳＨ２を像側から見た図である。
【図５】図４のV-V線の位置でアレイ光学系を切断した状態を示す断面図である。
【図６】図５の矢印VI部を拡大して示す図である。
【図７】変形例にかかる第２遮光部材ＳＨ２を像側から見た図である。
【図８】別な実施の形態にかかる図６と同様な断面図であり、温度センサーＴＳを設けた第２遮光部材を第２レンズアレイＬＡ２に接着する前の状態を示す図である。
【図９】別な実施の形態にかかる図６と同様な断面図である。
【発明を実施するための形態】
【００１３】
以下、本発明に係るレンズユニットと、それを用いた撮像装置等を説明する。レンズユニットに用いるアレイ光学系は、１つの撮像素子に対して複数の個眼レンズが例えばアレイ状に配置された光学系であり、各個眼レンズが同じ視野の撮像を行う超解像タイプと、各個眼レンズが異なる視野の撮像を行う視野分割タイプと、に通常分けられる。いずれのタイプでも実現可能であるが、本実施の形態では、同一被写体の複数の低解像度画像を画像処理にて合成し、1枚の高解像度画像を出力する超解像タイプにかかるアレイ光学系について説明する。
【００１４】
図１に、本実施の形態にかかる撮像装置を模式的に示す。図１に示すように、撮像装置ＣＡは、撮像ユニットＣＵ，画像処理回路ＩＰを含むデジタル処理回路ＤＰ，インタフェースＩＦを介して画像データを記憶できる記録部ＲＤ，画像データに基づき画像を表示する画像表示部ＤＳＰ、温度センサーＴＳ，及びこれらを制御する制御部ＣＰＵを有している。制御部ＣＰＵは、操作キーＫＹから操作信号を入力するようになっている。
【００１５】
撮像ユニットＣＵは、回路基板ＳＴに実装された１つの撮像素子ＳＲと、その撮像素子ＳＲに対して複数の結像を行うレンズユニットＬＨと、Ａ／Ｄ変換部ＡＤとを有している。撮像素子ＳＲとしては、例えば複数の画素を有するＣＣＤ型イメージセンサー，ＣＭＯＳ型イメージセンサー等の固体撮像素子が用いられる。撮像素子ＳＲの光電変換部である受光面ＳＳ上に、複数の被写体の光学像が形成されるようにレンズユニットＬＨが設けられている。
【００１６】
図２は、レンズユニットＬＨの断面図である。図３は、レンズユニットＬＨの分解斜視図である。レンズユニットＬＨにおいて、物体側より順に、第１遮光部材ＳＨ１、第１レンズアレイＬＡ１、第２遮光部材ＳＨ２，第２レンズアレイＬＡ２、第３遮光部材ＳＨ３が配置されており、これらは互いに接着されてアレイ光学系が構成されている。アレイ光学系を保持する鏡枠ＨＬＤは、周囲壁ＨＬＤａと、その物体側に連結された天井壁ＨＬＤｂとを有する。ＳＵＳの板材からなる第１遮光部材ＳＨ１は、複数（ここでは４×４）の開口絞りＳ１を形成している。但し、第１レンズアレイＬＡ１の物体側において、レンズ面の周囲に黒色皮膜を形成することで開口絞りとしても良い。
【００１７】
第１レンズアレイＬＡ１は、複数（ここでは４行４列に並べた１６個）の第１レンズ（個眼レンズ）Ｌ１と、第１レンズＬ１同士をつなげるフランジ部Ｌ１ｆとを一体に形成している。又、第２レンズアレイＬＡ２は、複数（ここでは４行４列に並べた１６個）の第２レンズ（個眼レンズ）Ｌ２と、第２レンズＬ２同士をつなげるフランジ部Ｌ２ｆとを一体に形成している。つまり、複数の第１レンズと複数の第２レンズはそれぞれ間隔をあけて並列に配列している。第１レンズアレイＬＡ１と第２レンズアレイＬＡ２は、それぞれプラスチック（例えば、ポリカーボネートやアクリル樹脂）を用いて射出成形され、光学材料からなる一体物として構成されている。第２レンズアレイＬＡ２における第１レンズアレイＬＡ１側のフランジ部Ｌ２ｆの一部には、周辺に向かう溝Ｌ２ｇが形成されている。第２レンズアレイＬＡ２の溝Ｌ２ｇは、後述するように、温度センサーＴＳを取り付けるスペースを構成する。なお、溝Ｌ２ｇに代えて第１レンズアレイに溝を設けてもよいし、第１レンズアレイＬＡ１と第２レンズアレイＬＡ２の両方に溝を設けてもよい。開口絞りＳと、第１レンズＬ１と、第２レンズＬ２の光軸は一致しており、これにより個眼光学系を構成する。
【００１８】
又、ＳＵＳの板材からなる第２遮光部材ＳＨ２は、各個眼レンズの各々に対応して、複数（ここでは４×４）の開口部ＡＰ２を形成しており、ＳＵＳの板材からなる第３遮光部材ＳＨ３は、各個眼レンズの各々に対応して、複数（ここでは４×４）の開口部ＡＰ３を形成している。
【００１９】
図２において、第２レンズアレイＬＡ２と撮像素子ＳＲとの間には、透光性のある平行平板であるＩＲカットフィルタＦが配置され，その周縁が鏡枠ＨＬＤの周囲壁ＨＬＤａに当接して接着されている。周囲壁ＨＬＤａの、ＩＲカットフィルタＦの上面及び側面に対向する面に形成された溝状の凹部ＨＬＤｇとＩＲカットフィルタＦとの間には、接着剤は塗布されず，連通した空間がある。この空間が、後述するように、温度センサーＴＳの配線を通過させるスペースを構成している。なお、溝状の凹部をＩＲカットフィルタＦに設けてもよいし、鏡枠ＨＬＤとＩＲカットフィルタＦの両方に設けてもよい。
【００２０】
図４は、第２遮光部材ＳＨ２を像側から見た図である。図５は、図４のV-V線の位置でアレイ光学系を切断した状態を示す断面図であり、図６は、図５の矢印VI部を拡大して示す図である。
【００２１】
図５，６に示すように、第１レンズアレイＬＡ１と第２レンズアレイＬＡ２に挟まれてなる第２遮光部材ＳＨ２の像側（第２レンズアレイＬＡ２側）に、図４に示すように、中央から周辺に向かって直線溝ＧＶが形成されている。４つの開口部ＡＰ２の中間位置で終端する直線溝ＧＶの端部には、温度センサーＴＳを構成する温度検知部ＴＤが形成され、また温度検知部ＴＤに接続された配線Ｈが、直線溝ＧＶ内を延在して第２遮光部材ＳＨ２の周縁へと延在している。
【００２２】
図５、図６に示すように、隣り合う一対の個眼レンズの中間位置付近では、第２遮光部材ＳＨ２は、第２レンズアレイＬＡ２に接しておらず、所定距離で第２レンズアレイＬＡ２から離間している。第２遮光部材ＳＨ２の厚さは、例えば３０μｍとすることができる。
【００２３】
温度センサーＴＳは、図６の上方より、赤外線反射層ＬＹ１，第１絶縁層ＬＹ２，感温素子である温度検知部ＴＤ及び配線Ｈ、第２絶縁層ＬＹ３，赤外線吸収層ＬＹ４を積層してなるフィルム状である。温度センサーＴＳの厚みは、薄い樹脂フィルムに蒸着等によって感温素子をパターン形成し、さらに樹脂フィルムをラミネートするなどの方法で作製することによって、第２遮光部材ＳＨ２の厚さよりも小さくすることができ、例えば、約１０μｍとすることができる。接着層ＢＤにより赤外線反射層ＬＹ１を直線溝ＧＶの底面に接着することで、温度センサーＴＳは第２遮光部材ＳＨ２に固定されている。つまり、温度検知部ＴＤは、光軸方向から見て、第２レンズアレイＬＡ２の、隣接する個眼レンズの間の部位に近接して配置されている。また、温度センサーＴＳの、温度検知部ＴＤを含む部位も第２レンズアレイＬＡ２から離間して配置されている。かかる温度センサーＴＳは、第２レンズアレイＬＡ２から放射される赤外線の量を感知することで、第２レンズアレイＬＡ２の温度に応じた信号を出力できるものであり、このような温度センサーは例えば特開２０１０−２８１５７８号に記載されている。
【００２４】
図２を参照して、第２遮光部材ＳＨ２から出た配線Ｈは，第２レンズアレイＬＡ２のフランジ部Ｌ２ｆに形成された細溝Ｌ２ｇを通って第２レンズアレイＬＡ２の周縁へ延在し、ここから鏡枠ＨＬＤの周囲壁ＨＬＤａと第２レンズアレイＬＡ２との間の空間を通過し、更に周囲壁ＨＬＤａに形成された凹部ＨＬＤｇとＩＲカットフィルタＦの縁との間に形成された空間を通って、ＩＲカットフィルタＦの像側に引き出される。ここで、配線Ｈは、弛みＦＸを持たせるようにＵ字状に折り曲げられた後、周囲壁ＨＬＤａと回路基板ＳＴとの間の隙間Δを通過して、鏡枠ＨＬＤの外側で回路基板ＳＴに接続され、これにより、温度検知部ＴＤの信号を制御部ＣＰＵに出力可能となっている。
【００２５】
撮像装置ＣＡの動作について説明する。レンズユニットＬＨによって形成された複数の被写体像は、撮像素子ＳＲの受光面ＳＳにおける予め座標が決まった複数のイメージエリアにそれぞれ結像され、個々に複数のアナログ信号に変換され，更にＡ／Ｄ変換部ＡＤでデジタル信号に変換されて、デジタル処理回路ＤＰに入力される。このデジタル信号は画像処理回路ＩＰにて合成され、１枚の合成画像に対応する画像データが形成される。かかる画像データは、画像表示部ＤＳＰに入力されて合成画像が表示され、或いはインタフェースＩＦを介して記録部ＲＤに入力されて記憶される。
【００２６】
ここで、温度センサーＴＳからの信号により、第２レンズアレイＬＡ２の温度が上昇又は低下したと制御部ＣＰＵが判断したときは、変化した温度に応じてレンズアレイＬＡ１、ＬＡ２が膨張又は収縮したことにより個眼光学系の光軸位置が変化したものと認定し、検出された温度と予め設定されたテーブル或いは所与の関数等とに基づいて、各個眼光学系に対応する撮像素子ＳＲのイメージエリアの座標を変更する。レンズアレイに近接した位置で温度を測定することができるので、レンズアレイの温度を正確に測定することができる。これにより、温度変化が生じても被写体の結像位置とイメージエリアとのずれを抑制でき、高画質な画像を生成できる。
【００２７】
本実施の形態によれば、温度センサーＴＳが遮光部材に設けられているため、レンズアレイと遮光部材とを組み立てることによって、容易に、温度センサーＴＳをレンズアレイの個眼レンズ以外の任意の適切な位置に対向するように配置できる。また、撮像装置に必要な遮光部材に温度センサーを設けているため、見かけ上、温度センサーを設けない場合と部品点数を同等にできる。また、温度センサーＴＳの数を最小限にすることで、簡素な構成であるにもかかわらず、第２レンズアレイＬＡ２の温度を精度良く測定できる。又、非接触タイプの温度センサーＴＳを用いることで組付けが容易になり、温度センサーＴＳによって第２レンズアレイＬＡ２にストレスを与えることがなく、光学性能に悪影響を与えることが回避できる。また、第２レンズアレイＬＡ２と温度センサーＴＳとを接着剤で固定する必要がないため、接着剤によってレンズアレイが汚れるのを防止することができる。
【００２８】
第２遮光絞りＳＨ２を比較的厚めのものとするときは、上述したように、表面に溝ＧＶを設けることで、その中にフィルム状の温度センサーＴＳを収容でき、表面から温度センサーＴＳが突出しないようにすることで、温度センサーＴＳで被写体光が反射することにより発生する不要光を抑制できると共に、設置の自由度を確保できる。又、第２遮光絞りＳＨ２の像側に温度センサーＴＳを設けることで、その物体側面は平面となるから、不要光を抑制するという第２遮光部材ＳＨ２の本来の機能を損なうことが回避される。さらに、温度センサーＴＳを溝ＧＶ内に収容して背面及び側面から接着することで、温度センサーＴＳを強固に保持することができ、撮像装置の使用中に衝撃を受けた場合にも、温度センサーＴＳがレンズアレイから脱離するのを防止しやすくなる。
【００２９】
図７は、変形例にかかる第２遮光部材ＳＨ２を像側から見た図である。本変形例においては、第２遮光部材ＳＨ２に形成した５つの直線溝ＧＶ内において、５つの温度検知部ＴＤを４つの開口部ＡＰ２の中間位置に配置し、それにつながる配線Ｈを第２遮光部材ＳＨ２の周縁へと延在させてなる。本変形例によれば、第２レンズアレイＬＡの温度を５点で測定できるので、その平均をとったり或いは温度バラツキを求めたりすることで、第２レンズアレイＬＡ２の膨張又は収縮量をより精度良く求めることができる。尚、配線Ｈは、第２遮光部材ＳＨ２から出た時点で一本にまとめて、上述したルートを通って回路基板ＳＴに接続するようにしても良い。
【００３０】
図８，９は、別な実施の形態にかかる図６と同様な断面図である。本実施の形態の温度センサーＴＳは、第２レンズアレイＬＡ２に接着して用いるタイプである。図８に示すように、温度センサーＴＳは、第１絶縁層ＬＹ２，サーミスタ等の温度検知部ＴＤ及び配線Ｈ、第２絶縁層ＬＹ３からなり、第２遮光部材ＳＨ２の下面に接着される。一方、第２遮光部材ＳＨ２に対向する第２レンズアレイＬＡ２の面に、例えばＵＶ硬化性の接着層ＢＤを形成しておく。ここで、第２遮光部材ＳＨ２を第２レンズアレイＬＡ２に密着させ、外部からＵＶ光を照射することで接着層ＢＤを固化させる。これにより、温度センサーＴＳの、温度検知部ＴＤを含む部位を、第２レンズアレイＬＡ２に接着した状態で配置できる(図９)。
【００３１】
かかる場合、温度センサーＴＳは接着層ＢＤを介して第２レンズアレイＬＡ２の温度を測定することになるが、接着層ＢＤの層厚(例えば、約３０μｍ)が比較的薄いので実質的に第２レンズアレイＬＡ２そのもの温度を測定しているものとみなすことができる。又、温度センサーＴＳが第２レンズアレイＬＡ２に接触しているので、外乱の影響を受けにくいというメリットがある。尚、温度センサーＴＳを第２レンズアレイＬＡ２に接着剤を介することなく接触させてもよい。この場合、温度センサーＴＳが設けられた第２遮光部材ＳＨ２の面に接着剤を塗布した後、温度センサーＴＳ表面の接着剤を拭き取ってから、第２レンズアレイＬＡ２に接着剤及び温度センサーＴＳを接触させ、接着剤を硬化すればよい。また、温度センサーＴＳの両面が接着剤によって遮光部材とレンズアレイとに固定されているため、撮像装置の使用中に衝撃を受けた場合にも、温度センサーＴＳがレンズアレイから脱離するのを防止することができる。なお、図９に示すように、第２遮光部材ＳＨ２は、第１アレイレンズＬＡ１に接着されても良いし、或いは第１アレイレンズＬＡ１に対してスペースを開けて配置されても良い。
【００３２】
以上述べた実施の形態では、温度センサーＴＳにより第２アレイレンズＬＡ２の物体側面の温度を測定しているが、温度センサーＴＳを第２遮光部材ＳＨ２の物体側面に設けて第１アレイレンズＬＡ１の像側面の温度を測定しても良いし、第２遮光部材ＳＨ２の両面に温度センサーＴＳを設けてもよい。又、温度センサーＴＳを第１遮光部材ＳＨ１に設けることで、第１アレイレンズＬＡ１の物体側面の温度を測定しても良いし、温度センサーＴＳを第３遮光部材ＳＨ３に設けることで、第２アレイレンズＬＡ２の像側面の温度を測定しても良い。更には、第１遮光部材ＳＨ１を設けない場合、鏡枠ＨＬＤの天井壁ＨＬＤｂの像側面に、温度センサーＴＳを設けることもできる。以上の温度センサーＴＳの一つ又は複数を組み合わせて、レンズアレイの温度を測定できる。
【００３３】
本発明の一実施態様によれば、前記アレイ光学系は、前記遮光部材を間に挟んで重ねた第１のレンズアレイと第２のレンズアレイとを有し、前記温度センサーは、前記第１のレンズアレイと前記第２のレンズアレイのうち少なくとも一方の温度を検知するので、前記第１のレンズアレイと前記第２のレンズアレイにより密閉され対流が生じにくい空間内で、前記温度センサーが精度良く温度を検知することができる。尚、前記第１のレンズアレイと前記第２のレンズアレイのそれぞれの温度を測定するほか、前記第１のレンズアレイと前記第２のレンズアレイの平均温度を測定しても良い。
【００３４】
本発明の一実施態様によれば、前記第１のレンズアレイと前記第２のレンズアレイの,互いに対向する２つの面のうち少なくとも一方に、前記配線を取り付けるスペース(例えば溝Ｌ２ｇ)を設けたので、前記配線の取り回しが容易になる。前記第１のレンズアレイに溝を設けて、前記配線を通過させるスペースとすることができる。
【００３５】
本発明の一実施態様によれば、前記レンズユニットが、前記アレイ光学系を保持する鏡枠を更に有するので、外部から不要光が入射することを抑制することができる。
【００３６】
本発明の一実施態様によれば、前記鏡枠に、前記配線を通過させるスペース(例えば凹部ＨＬＤｇ)を形成したので、前記配線の取り回しが容易になる。
【００３７】
本発明の一実施態様によれば、前記レンズユニットが、前記アレイ光学系の像側の面に対向して配置された透光性を有する平行平板を更に有し、前記平行平板と前記鏡枠のうち少なくとも一方に、前記配線を通過させるスペース(例えば凹部ＨＬＤｇ)を設けたので、前記配線の取り回しが容易になる。前記平行平板に溝を設けて、前記配線を通過させるスペースとすることができる。
【００３８】
本発明の一実施態様によれば、前記温度センサーは、前記レンズアレイに接触しているので、前記レンズアレイの温度を精度良く測定できる。又、前記温度センサーを簡素な構造のものとできる。尚、接触とは接着層を介して接する場合を含む。
【００３９】
本発明の一実施態様によれば、前記温度センサーは、前記レンズアレイから離間しているので、前記レンズアレイの温度を測定できるにも関わらず、前記レンズアレイに負荷を与える恐れがなく、良好な光学性能を維持できる。又、前記温度センサーの設置の自由度が向上する。
【００４０】
本発明の一実施態様によれば、前記撮像装置が、前記レンズユニットに加え、固体撮像素子が実装される回路基板を更に有し、前記温度センサーの配線は、前記回路基板に接続されており、前記レンズアレイから前記回路基板に至るまでの間に弛みを有するので、前記撮像装置各部の温度による寸法変化や振動などが生じても、前記配線にストレスを与えることを抑制できる。
【符号の説明】
【００４１】
ＡＤ            Ａ／Ｄ変換部
ＡＰ２            開口部
ＢＤ            接着層
ＣＡ            撮像装置
ＣＰＵ            制御部
ＣＵ            撮像ユニット
ＤＰ            デジタル処理回路
ＤＳＰ            画像表示部
Ｆ            ＩＲカットフィルタ
ＧＶ            直線溝
Ｈ            配線
ＨＬＤ            鏡枠
ＨＬＤａ          周囲壁
ＨＬＤｂ          天井壁
ＨＬＤｇ          凹部
ＩＦ            インタフェース
ＩＰ            画像処理回路
ＫＹ            操作キー
Ｌ１            レンズ
Ｌ１ｆ            フランジ部
Ｌ２            レンズ
Ｌ２ｆ            フランジ部
Ｌ２ｇ            細溝
ＬＡ１            第１レンズアレイ
ＬＡ２            第２レンズアレイ
ＬＨ            レンズユニット
ＬＹ１            赤外線反射層
ＬＹ２            絶縁層
ＬＹ３            絶縁層
ＬＹ４            赤外線吸収層
ＲＤ            記録部
ＳＨ１            第１遮光部材
ＳＨ２            第２遮光部材
ＳＨ３            第３遮光部材
ＳＲ            撮像素子
ＳＳ            受光面
ＳＴ            回路基板
ＴＤ            温度検知部
ＴＳ            温度センサー
【図１】
2016004176.tif 000003
【図２】
2016004176.tif 000004
【図３】
2016004176.tif 000005
【図４】
2016004176.tif 000006
【図５】
2016004176.tif 000007
【図６】
2016004176.tif 000008
【図７】
2016004176.tif 000009
【図８】
2016004176.tif 000010
【図９】
2016004176.tif 000011